(57)【要約】      （修正有）【課題】暗記済みのカードと未暗記のカードとを分別して、未暗記のカードのみ暗記することにより、暗記効率を高めることができる暗記カード帳を提供する。【解決手段】暗記する内容を記載しうる複数枚のカード１２と、上記カードを綴じ込んで保持しうるカード保持部材１３とからなる暗記カード帳であって、上記カードが上記カード保持部材により保持された状態で、未暗記のカード１２aを暗記済みのカード１２ｂに対し変位しうるように形成されている。上記カード保持部材はリング状部材１４により形成され、上記カードには一端部に上記リング状部材を挿通しうる綴込用の孔部１６が形成され、上記カードに形成された上記孔部は、一対の外方孔部１７と内方孔部１８とを有すると共に、上記外方孔部と上記内方孔部は上記リング状部材が通過しうる中間孔部１９により連通されている。【選択図】図１
0003129378.tif 000002
【実用新案登録請求の範囲】
【請求項１】
暗記する内容を記載しうる複数枚のカードと、上記カードを綴じ込んで保持しうるカード保持部材とからなる暗記カード帳であって、
上記カード保持部材はリング状部材により形成され、上記カードには一端部に上記リング状部材を挿通しうる綴込用の孔部が形成され、
上記カードが上記カード保持部材により保持された状態で、未暗記のカードを暗記済みのカードに対し変位し、カード端部が突出しうるように形成されていることを特徴とする暗記カード帳。
【請求項２】
上記カードに形成された上記孔部は、一対の外方孔部と内方孔部とを有すると共に、上記外方孔部と上記内方孔部は上記リング状部材が通過しうる中間孔部により連通されていることを特徴とする請求項１記載の暗記カード帳。
【請求項３】
上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されていることを特徴とする請求項２記載の暗記カード帳。
【考案の詳細な説明】
【技術分野】
【０００１】
本考案は暗記カード帳、特に、未暗記のカードを暗記済みのカードから分別しうる暗記カード帳に関する。
【背景技術】
【０００２】
例えば学生が受験のために英単語等を暗記する場合は、暗記カード帳を使用することが多い。
従来の一般的な暗記カード帳は、方形のカードの一端部に綴込み用の孔部が穿設され、金属製リングが上記孔部に挿通されて、複数枚の上記カードが上記金属製リングにより保持されうるように形成されている。
【０００３】
上記の暗記カード帳を用いて英単語等を暗記する場合、カードを一枚づつ捲りながら暗記していくことになるが、暗記しやすい内容と、暗記しにくい内容とが存在するので、暗記済みのカードと、未暗記のカードが混在することになる。
【０００４】
したがって、カードを捲って暗記する場合に、暗記済みのカードも混じっているので、暗記済みの内容も繰り返し暗記するという無駄があり、未暗記のカードのみを集中的に暗記することができず、暗記効率が悪いという不具合があった。
【０００５】
本出願人は上記不具合を解消しうる暗記カード帳について調査したが、関連する先行技術文献を発見することはできなかった、
【考案の開示】
【考案が解決しようとする課題】
【０００６】
そこで本考案の課題は、暗記済みのカードと未暗記のカードとを分別して、未暗記のカードのみ暗記することにより、暗記効率を高めることができる暗記カード帳を提供することにある。
【課題を解決するための手段】
【０００７】
上記課題を解決するために、請求項１記載の本考案に係る暗記カード帳は、暗記する内容を記載しうる複数枚のカードと、上記カードを綴じ込んで保持しうるカード保持部材とからなる暗記カード帳であって、上記カード保持部材はリング状部材により形成され、上記カードには一端部に上記リング状部材を挿通しうる綴込用の孔部が形成され、上記カードが上記カード保持部材により保持された状態で、未暗記のカードを暗記済みのカードに対し変位しカード端部が突出しうるように形成されていることを特徴とする。
【０００８】
したがって、上記複数枚のカードに夫々暗記する事項、例えば英単語等を記載して、上記カードを上記カード保持部材により保持した状態で常に携帯することができると共に、上記カードを一枚づつ捲りながら暗記することができる。
暗記する事項の中には、暗記しやすいものと、暗記しにくいものとが存在し、暗記したものは再度暗記する必要はないが、暗記できなかったものは繰り返し暗記する必要がある。
したがって、暗記したカードと、未暗記のカードとを区別する必要がある。
そこで本考案に係る暗記カード帳では、未暗記のカードを暗記済みのカードに対し端部を突出させることにより、未暗記のカードと暗記済みのカードを区別できるように構成されている。
また、本考案に係る暗記カード帳は、従来の暗記カード帳と同様に、リング状部材をカードの孔部に挿通して複数枚のカードを綴じ込むことができる。
したがって、従来の暗記カード帳と同様に使用することができ、カードを一枚づつ捲りながら暗記することができる。
また、従来と同様の工程で製造することができる。
【０００９】
また、本考案に係る上記暗記カード帳は、上記カードに形成された上記孔部は、一対の外方孔部と内方孔部とを有すると共に、上記外方孔部と上記内方孔部は上記リング状部材が通過しうる中間孔部により連通されている。
【００１０】
すなわち、本考案に係る上記暗記カード帳は、従来の暗記カード帳のカードに比べ、カードに設ける孔部の形状が異なっている。
従来のカードには、リング状部材を挿通しうる円形の孔部が一つだけ穿設されているだけだが、本考案に係る暗記カード帳のカードは、孔部が３つの部位、すなわち、外方孔部と、内方孔部と、中間孔部とを有し、外方孔部と内方孔部は中間孔部により連通されている。
【００１１】
また、本考案に係る上記暗記カード帳は、上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されている。
【００１２】
したがって、上記リング状部材が上記外方孔部または内方孔部に挿通している場合は、カードをスムースに捲って暗記学習を行うことができる。
また、上記リング状部材は、カードを変形させることにより、上記中間孔部の幅を拡開して、上記外方孔部と上記内方孔部間を容易に移動して端部を突出させることができ、これにより未暗記のカードと暗記済みのカードとを明確に分別することができる。
また、上記のように、カードを変形させない限り、上記リング状部材は上記中間孔部を通過することができないので、一旦、未暗記のカードと暗記済みのカードを分別した後で、自然に元の状態に戻って、未暗記のカードと暗記済みのカードが安易に混じり合うことはない。
【考案の効果】
【００１３】
請求項１記載の本考案に係る暗記カード帳は、暗記する内容を記載しうる複数枚のカードと、上記カードを綴じ込んで保持しうるカード保持部材とからなる暗記カード帳であって、上記カードが上記カード保持部材により保持された状態で、未暗記のカードを暗記済みのカードに対し変位しうるように形成されていることから、未暗記のカードを暗記済みのカードに対し変位させ、端部を突出させて分別することにより、暗記済みの内容と未暗記の内容とを確認することができる。
したがって、その後の暗記学習では、未暗記のカードのみ集中的に暗記できるので、暗記済みの内容を再度暗記する無駄が無くなり、暗記効率が高まることになる。
また、上記カード保持部材はリング状部材により形成され、上記カードには一端部に上記リング状部材を挿通しうる綴込用の孔部が形成されていることから、従来の暗記カードと基本的な構造は同様であり、カードを変位させるための特別な装置を設ける必要がないので、製造コストが嵩むことを回避することができる。
【００１４】
請求項２記載の本考案に係る暗記カード帳は、上記カードに形成された上記孔部は、一対の外方孔部と内方孔部とを有すると共に、上記外方孔部と上記内方孔部は上記リング状部材が通過しうる中間孔部により連通されていることから、上記内方孔部に挿通されている上記リング状部材を、上記中間孔部を通して、上記外方孔部へ移動させるだけで容易に未暗記のカードをスライドさせて変位させ、端部を突出させることができる。したがって、操作性が良好である。また、未暗記のカードを上記外方孔部から上記内方孔部へ移動させれば、元の状態に容易に復元することができる。
また、従来の暗記カードに比べ、カードに形成する孔部の構造のみを変えるだけで済むので、コスト上昇を回避することができる。
【００１５】
請求項３記載の本考案に係る暗記カード帳は、上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されていることから、上記リング状部材を上記外方孔部と上記内方孔部間で移動させる場合に、上記中間孔部を変形させて幅を拡大させることにより上記リング状部材を容易に通過させることができる。また、上記中間孔部の幅を故意に変形して拡大しない限り上記リング状部材は上記中間孔部を安易に通過できないので、未暗記のカードと暗記済みのカードとを確実に分別することができる。
【考案を実施するための最良の形態】
【００１６】
以下、図面を用いて本発明の実施の形態について説明する。
本実施の形態に係る暗記カード帳１１は、図１及び図３に示すように、暗記する内容を記載しうる複数枚のカード１２…と、上記カード１２…を綴じ込んで保持しうるカード保持部材１３とからなる暗記カード帳１１であって、上記カード保持部材１３はリング状部材１４により形成され、上記カード１２…には一端部に上記リング状部材１４を挿通しうる綴込用の孔部１６が形成され、上記カード１２…が上記カード保持部材１３により保持された状態で、図１に示すように、未暗記のカード１２ａを暗記済みのカード１２ｂに対し変位して、端部を長さ方向に突出させうるように形成されている。
また、図２に示すように、上記カード１２…に形成された上記孔部１６は、一対の外方孔部１７と内方孔部１８とを有すると共に、上記外方孔部１７と上記内方孔部１８は上記リング状部材１４が通過しうる中間孔部１９により連通されている。
また、図１乃至図３に示すように、上記カード１２…は紙製で、上記外方孔部１７と上記内方孔部１８は上記リング状部材１４の線径より径寸法が僅かに大きい円形に形成され、上記中間孔部１９は上記リング状部材１４の線径より幅寸法の小さい線状に形成され、上記リング状部材１４は上記カード１２…の変形により上記中間孔部１９を通過して上記外方孔部１７と内方孔部１８間を移動しうるように形成されている。
【実施例１】
【００１７】
図は実施例に係る暗記カード帳１１を示したものである。
本実施例に係る暗記カード帳１１は、図１及び図３に示すように、暗記する内容を記載しうる複数枚のカード１２…を備えている。
上記カード１２…は、図２に示すように、長方形状で紙により形成されている。
【００１８】
また、本実施例に係る暗記カード帳１１は、図１及び図３に示すように、複数枚の上記カード１２…を保持するためのカード保持部材１３をを備えている。
上記カード保持部材１３としては金属製のリング状部材１４が使用されている。
上記リング状部材１４は、一対の半円形の金属線材１５ａ，１５ｂの一端同士が回動可能に連結されて、他端は開閉しうるように形成されている。
なお、上記金属線材１５ａ，１５ｂの断面は円形に形成されている。
【００１９】
上記カード１２…には、図２に示すように、長さ方向の一端に上記リング状部材１４を挿通しうる綴込用の孔部１６が形成されている。
上記カード１２…に形成された上記孔部１６は、外方孔部１７、内方孔部１８及び中間孔部１９により構成されている。
なお、上記孔部１６の周囲部位には、紙の破損を防止するためにニス等を印刷により塗布して、紙を保護している。
【００２０】
図２に示すように、上記外方孔部１７と内方孔部１８は一定の間隔をあけて離間して配置されている。
上記中間孔部１９は上記外方孔部１７と内方孔部１８との間に配置され、一端は上記外方孔部１７に連通し、他端は上記内方孔部１８に連通している。
したがって、上記外方孔部１７と内方孔部１８は、上記中間孔部１９を介して互いに連通している。
【００２１】
図２に示すように、上記カード１２…に形成された上記外方孔部１７と上記内方孔部１８は共に、同一径の円形に形成されている。
図１及び図３に示すように、上記外方孔部１７と上記内方孔部１８の直径は、上記金属線材１５ａ，１５ｂの線径より僅かに大きく設定されている。
また、図２に示すように、上記中間孔部１９は一定幅の線状に形成されている。
図１及び図３に示すように、上記中間孔部１９の幅寸法は、上記金属線材１５ａ，１５ｂの線径より僅かに小さく設定されている。
【００２２】
上記カード１２…には、暗記事項、例えば英単語等が筆記具で記載され、上記カード１２…の上記孔部１６には、図１及び図３に示すように、上記リング状部材１４が挿通されて、上記カード１２…は上記リング状部材１４により綴じ込まれて保持される。
【００２３】
図３に示すように、上記リング状部材１４は上記孔部１６における上記外方孔部１７または上記内方孔部１８の一方に通常は位置しているが、上記中間孔部１９を通過することにより、図１に示すように、他方へ移動することができる。
上記中間孔部１９の幅寸法は、上記のように、上記リング状部材１４の線径より小さいので、そのままでは上記リング状部材１４は通過できない。
したがって、上記リング状部材１４が上記中間孔部１９を通過する場合は、上記カード１２…紙を変形させて、上記中間孔部１９の幅を上記リング状部材１４の線径より大きく拡開する必要がある。
【００２４】
次に、上記実施例の作用について説明する。
本考案に係る上記暗記カード帳１１は、一般的な従来の暗記カード帳と同様に、上記複数枚のカード１２…の夫々に使用者、例えば学生が暗記事項、例えば英単語等を自分で記載する。
暗記事項を記載した上記カード１２…は、図３に示すように、上記孔部１６における上記内方孔部１８に上記リング状部材１４を挿通することにより綴じ込んだ状態にして保持する。
【００２５】
上記リング状部材１４により綴じ込んだ上記カード１２…は、一枚づつ捲りながら、そこに記載されている暗記事項を暗記していく。
暗記事項の中には、暗記しやすい内容と、暗記しにくい内容とが存在するので、暗記していく過程で、暗記済みのカードと、未暗記のカードとに別れることになるが、両者は混在したままの状態を維持することになる。
【００２６】
したがって、再び、カードを一枚づつ捲りながら暗記学習をする場合、暗記済みのカードも再度暗記しなければならず、時間の無駄が生じる。
また、未暗記のカードを集中的にできないという弊害がある。
【００２７】
本考案に係る上記暗記カード帳１１では、図１に示すように、未暗記のカード１２ａと暗記済みのカード１２ｂの位置を長さ方向に相互にずらすことにより両者を分別することができる。
【００２８】
図１に示すように、未暗記のカード１２ａを暗記済みのカード１２ｂに対し変位させる場合は、未暗記のカード１２ａを指で摘んで反リング状部材１４の方向へ引っ張る作業を行えばよい。
これにより、図３に示すように上記内方孔部１８に挿通していた上記リング状部材１４は、未暗記のカード１２ａの紙を変形させて上記中間孔部１９の幅を拡開しながら同中間孔部１９を通過して、図１に示すように、上記外方孔部１７へと移動する。
【００２９】
上記外方孔部１７へ上記リング状部材１４が移動することにより、図１に示すように、上記未暗記のカード１２ａは上記暗記済みのカード１２ｂに対し、反リング状部材１４の側の端部２０が突出状態となり、未暗記のカード１２ａと暗記済みのカード１２ｂは明確に区別することができる。
したがって、再度、暗記学習を行う場合は、上記暗記済みのカード１２ｂを飛ばして、上記未暗記のカード１２ａのみを暗記することができる。
これにより、暗記済みのカード１２ｂを再度暗記するという無駄を省くことができ、未暗記のカード１２ａのみを集中的に暗記することができるので、暗記効率を高めることができる。
【産業上の利用可能性】
【００３０】
本考案は、未暗記のカードと暗記済みのカードを分別する暗記カード帳に適用可能である。
【図面の簡単な説明】
【００３１】
【図１】本考案の実施例を示すもので、未暗記のカードを暗記済みのカードに対し変位させた状態を示す斜視図である。
【図２】本考案の実施例に係るカードの平面図である。
【図３】本考案の実施例を示すもので、未暗記のカードを暗記済みのカードに対し変位させる前の状態を示す斜視図である。
【符号の説明】
【００３２】
１１  暗記カード帳
１２  カード
１２ａ  未暗記のカード
１２ｂ  暗記済みのカード
１３  カード保持部材
１４  リング状部材
１５ａ，１５ｂ  金属線材
１６  孔部
１７  外方孔部
１８  内方孔部
１９  中間孔部
２０  端部
【図１】
0003129378.tif 000003
【図２】
0003129378.tif 000004
【図３】
0003129378.tif 000005
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
暗記する内容を記載しうる複数枚のカードと、上記カードを綴じ込んで保持しうるカード保持部材とからなる暗記カード帳であって、
上記カード保持部材はリング状部材により形成され、上記カードには一端部に上記リング状部材を挿通しうる綴込用の孔部が形成され、
上記カードに形成された上記孔部は、一対の外方孔部と内方孔部とを有すると共に、上記外方孔部と上記内方孔部は上記リング状部材が通過しうる中間孔部により連通され、
上記カードが上記カード保持部材により保持された状態で、未暗記のカードを暗記済みのカードに対し変位し、カード端部が突出しうるように形成されていることを特徴とする暗記カード帳。
【請求項２】
上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されていることを特徴とする請求項１記載の暗記カード帳。
【手続補正２】
【補正対象書類名】明細書
【補正対象項目名】全文
【補正方法】変更
【補正の内容】
【考案の詳細な説明】
【技術分野】
【０００１】
本考案は暗記カード帳、特に、未暗記のカードを暗記済みのカードから分別しうる暗記カード帳に関する。
【背景技術】
【０００２】
例えば学生が受験のために英単語等を暗記する場合は、暗記カード帳を使用することが多い。
従来の一般的な暗記カード帳は、方形のカードの一端部に綴込み用の孔部が穿設され、金属製リングが上記孔部に挿通されて、複数枚の上記カードが上記金属製リングにより保持されうるように形成されている。
【０００３】
上記の暗記カード帳を用いて英単語等を暗記する場合、カードを一枚づつ捲りながら暗記していくことになるが、暗記しやすい内容と、暗記しにくい内容とが存在するので、暗記済みのカードと、未暗記のカードが混在することになる。
【０００４】
したがって、カードを捲って暗記する場合に、暗記済みのカードも混じっているので、暗記済みの内容も繰り返し暗記するという無駄があり、未暗記のカードのみを集中的に暗記することができず、暗記効率が悪いという不具合があった。
【０００５】
本出願人は上記不具合を解消しうる暗記カード帳について調査したが、関連する先行技術文献を発見することはできなかった、
【考案の開示】
【考案が解決しようとする課題】
【０００６】
そこで本考案の課題は、暗記済みのカードと未暗記のカードとを分別して、未暗記のカードのみ暗記することにより、暗記効率を高めることができる暗記カード帳を提供することにある。
【課題を解決するための手段】
【０００７】
上記課題を解決するために、請求項１記載の本考案に係る暗記カード帳は、暗記する内容を記載しうる複数枚のカードと、上記カードを綴じ込んで保持しうるカード保持部材とからなる暗記カード帳であって、上記カード保持部材はリング状部材により形成され、上記カードには一端部に上記リング状部材を挿通しうる綴込用の孔部が形成され、上記カードが上記カード保持部材により保持された状態で、未暗記のカードを暗記済みのカードに対し変位しカード端部が突出しうるように形成されていることを特徴とする。
【０００８】
したがって、上記複数枚のカードに夫々暗記する事項、例えば英単語等を記載して、上記カードを上記カード保持部材により保持した状態で常に携帯することができると共に、上記カードを一枚づつ捲りながら暗記することができる。
暗記する事項の中には、暗記しやすいものと、暗記しにくいものとが存在し、暗記したものは再度暗記する必要はないが、暗記できなかったものは繰り返し暗記する必要がある。
したがって、暗記したカードと、未暗記のカードとを区別する必要がある。
そこで本考案に係る暗記カード帳では、未暗記のカードを暗記済みのカードに対し端部を突出させることにより、未暗記のカードと暗記済みのカードを区別できるように構成されている。
また、本考案に係る暗記カード帳は、従来の暗記カード帳と同様に、リング状部材をカードの孔部に挿通して複数枚のカードを綴じ込むことができる。
したがって、従来の暗記カード帳と同様に使用することができ、カードを一枚づつ捲りながら暗記することができる。
また、従来と同様の工程で製造することができる。
【０００９】
また、本考案に係る上記暗記カード帳は、上記カードに形成された上記孔部は、一対の外方孔部と内方孔部とを有すると共に、上記外方孔部と上記内方孔部は上記リング状部材が通過しうる中間孔部により連通されている。
【００１０】
すなわち、本考案に係る上記暗記カード帳は、従来の暗記カード帳のカードに比べ、カードに設ける孔部の形状が異なっている。
従来のカードには、リング状部材を挿通しうる円形の孔部が一つだけ穿設されているだけだが、本考案に係る暗記カード帳のカードは、孔部が３つの部位、すなわち、外方孔部と、内方孔部と、中間孔部とを有し、外方孔部と内方孔部は中間孔部により連通されている。
【００１１】
また、本考案に係る上記暗記カード帳は、上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されている。
【００１２】
したがって、上記リング状部材が上記外方孔部または内方孔部に挿通している場合は、カードをスムースに捲って暗記学習を行うことができる。
また、上記リング状部材は、カードを変形させることにより、上記中間孔部の幅を拡開して、上記外方孔部と上記内方孔部間を容易に移動して端部を突出させることができ、これにより未暗記のカードと暗記済みのカードとを明確に分別することができる。
また、上記のように、カードを変形させない限り、上記リング状部材は上記中間孔部を通過することができないので、一旦、未暗記のカードと暗記済みのカードを分別した後で、自然に元の状態に戻って、未暗記のカードと暗記済みのカードが安易に混じり合うことはない。
【考案の効果】
【００１３】
請求項１記載の本考案に係る暗記カード帳は、暗記する内容を記載しうる複数枚のカードと、上記カードを綴じ込んで保持しうるカード保持部材とからなる暗記カード帳であって、上記カードが上記カード保持部材により保持された状態で、未暗記のカードを暗記済みのカードに対し変位しうるように形成されていることから、未暗記のカードを暗記済みのカードに対し変位させ、端部を突出させて分別することにより、暗記済みの内容と未暗記の内容とを確認することができる。
したがって、その後の暗記学習では、未暗記のカードのみ集中的に暗記できるので、暗記済みの内容を再度暗記する無駄が無くなり、暗記効率が高まることになる。
また、上記カード保持部材はリング状部材により形成され、上記カードには一端部に上記リング状部材を挿通しうる綴込用の孔部が形成されていることから、従来の暗記カードと基本的な構造は同様であり、カードを変位させるための特別な装置を設ける必要がないので、製造コストが嵩むことを回避することができる。
【００１４】
請求項１記載の本考案に係る暗記カード帳は、上記カードに形成された上記孔部は、一対の外方孔部と内方孔部とを有すると共に、上記外方孔部と上記内方孔部は上記リング状部材が通過しうる中間孔部により連通されていることから、上記内方孔部に挿通されている上記リング状部材を、上記中間孔部を通して、上記外方孔部へ移動させるだけで容易に未暗記のカードをスライドさせて変位させ、端部を突出させることができる。したがって、操作性が良好である。また、未暗記のカードを上記外方孔部から上記内方孔部へ移動させれば、元の状態に容易に復元することができる。
また、従来の暗記カードに比べ、カードに形成する孔部の構造のみを変えるだけで済むので、コスト上昇を回避することができる。
【００１５】
請求項２記載の本考案に係る暗記カード帳は、上記カードは紙製で、上記外方孔部と上記内方孔部は上記リング状部材の線径より径寸法が僅かに大きい円形に形成され、上記中間孔部は上記リング状部材の線径より幅寸法の小さい線状に形成され、上記リング状部材は上記カードの変形により上記中間孔部を通過して上記外方孔部と内方孔部間を移動しうるように形成されていることから、上記リング状部材を上記外方孔部と上記内方孔部間で移動させる場合に、上記中間孔部を変形させて幅を拡大させることにより上記リング状部材を容易に通過させることができる。また、上記中間孔部の幅を故意に変形して拡大しない限り上記リング状部材は上記中間孔部を安易に通過できないので、未暗記のカードと暗記済みのカードとを確実に分別することができる。
【考案を実施するための最良の形態】
【００１６】
以下、図面を用いて本発明の実施の形態について説明する。
本実施の形態に係る暗記カード帳１１は、図１及び図３に示すように、暗記する内容を記載しうる複数枚のカード１２…と、上記カード１２…を綴じ込んで保持しうるカード保持部材１３とからなる暗記カード帳１１であって、上記カード保持部材１３はリング状部材１４により形成され、上記カード１２…には一端部に上記リング状部材１４を挿通しうる綴込用の孔部１６が形成され、上記カード１２…が上記カード保持部材１３により保持された状態で、図１に示すように、未暗記のカード１２ａを暗記済みのカード１２ｂに対し変位して、端部を長さ方向に突出させうるように形成されている。
また、図２に示すように、上記カード１２…に形成された上記孔部１６は、一対の外方孔部１７と内方孔部１８とを有すると共に、上記外方孔部１７と上記内方孔部１８は上記リング状部材１４が通過しうる中間孔部１９により連通されている。
また、図１乃至図３に示すように、上記カード１２…は紙製で、上記外方孔部１７と上記内方孔部１８は上記リング状部材１４の線径より径寸法が僅かに大きい円形に形成され、上記中間孔部１９は上記リング状部材１４の線径より幅寸法の小さい線状に形成され、上記リング状部材１４は上記カード１２…の変形により上記中間孔部１９を通過して上記外方孔部１７と内方孔部１８間を移動しうるように形成されている。
【実施例１】
【００１７】
図は実施例に係る暗記カード帳１１を示したものである。
本実施例に係る暗記カード帳１１は、図１及び図３に示すように、暗記する内容を記載しうる複数枚のカード１２…を備えている。
上記カード１２…は、図２に示すように、長方形状で紙により形成されている。
【００１８】
また、本実施例に係る暗記カード帳１１は、図１及び図３に示すように、複数枚の上記カード１２…を保持するためのカード保持部材１３をを備えている。
上記カード保持部材１３としては金属製のリング状部材１４が使用されている。
上記リング状部材１４は、一対の半円形の金属線材１５ａ，１５ｂの一端同士が回動可能に連結されて、他端は開閉しうるように形成されている。
なお、上記金属線材１５ａ，１５ｂの断面は円形に形成されている。
【００１９】
上記カード１２…には、図２に示すように、長さ方向の一端に上記リング状部材１４を挿通しうる綴込用の孔部１６が形成されている。
上記カード１２…に形成された上記孔部１６は、外方孔部１７、内方孔部１８及び中間孔部１９により構成されている。
なお、上記孔部１６の周囲部位には、紙の破損を防止するためにニス等を印刷により塗布して、紙を保護している。
【００２０】
図２に示すように、上記外方孔部１７と内方孔部１８は一定の間隔をあけて離間して配置されている。
上記中間孔部１９は上記外方孔部１７と内方孔部１８との間に配置され、一端は上記外方孔部１７に連通し、他端は上記内方孔部１８に連通している。
したがって、上記外方孔部１７と内方孔部１８は、上記中間孔部１９を介して互いに連通している。
【００２１】
図２に示すように、上記カード１２…に形成された上記外方孔部１７と上記内方孔部１８は共に、同一径の円形に形成されている。
図１及び図３に示すように、上記外方孔部１７と上記内方孔部１８の直径は、上記金属線材１５ａ，１５ｂの線径より僅かに大きく設定されている。
また、図２に示すように、上記中間孔部１９は一定幅の線状に形成されている。
図１及び図３に示すように、上記中間孔部１９の幅寸法は、上記金属線材１５ａ，１５ｂの線径より僅かに小さく設定されている。
【００２２】
上記カード１２…には、暗記事項、例えば英単語等が筆記具で記載され、上記カード１２…の上記孔部１６には、図１及び図３に示すように、上記リング状部材１４が挿通されて、上記カード１２…は上記リング状部材１４により綴じ込まれて保持される。
【００２３】
図３に示すように、上記リング状部材１４は上記孔部１６における上記外方孔部１７または上記内方孔部１８の一方に通常は位置しているが、上記中間孔部１９を通過することにより、図１に示すように、他方へ移動することができる。
上記中間孔部１９の幅寸法は、上記のように、上記リング状部材１４の線径より小さいので、そのままでは上記リング状部材１４は通過できない。
したがって、上記リング状部材１４が上記中間孔部１９を通過する場合は、上記カード１２…紙を変形させて、上記中間孔部１９の幅を上記リング状部材１４の線径より大きく拡開する必要がある。
【００２４】
次に、上記実施例の作用について説明する。
本考案に係る上記暗記カード帳１１は、一般的な従来の暗記カード帳と同様に、上記複数枚のカード１２…の夫々に使用者、例えば学生が暗記事項、例えば英単語等を自分で記載する。
暗記事項を記載した上記カード１２…は、図３に示すように、上記孔部１６における上記内方孔部１８に上記リング状部材１４を挿通することにより綴じ込んだ状態にして保持する。
【００２５】
上記リング状部材１４により綴じ込んだ上記カード１２…は、一枚づつ捲りながら、そこに記載されている暗記事項を暗記していく。
暗記事項の中には、暗記しやすい内容と、暗記しにくい内容とが存在するので、暗記していく過程で、暗記済みのカードと、未暗記のカードとに別れることになるが、両者は混在したままの状態を維持することになる。
【００２６】
したがって、再び、カードを一枚づつ捲りながら暗記学習をする場合、暗記済みのカードも再度暗記しなければならず、時間の無駄が生じる。
また、未暗記のカードを集中的にできないという弊害がある。
【００２７】
本考案に係る上記暗記カード帳１１では、図１に示すように、未暗記のカード１２ａと暗記済みのカード１２ｂの位置を長さ方向に相互にずらすことにより両者を分別することができる。
【００２８】
図１に示すように、未暗記のカード１２ａを暗記済みのカード１２ｂに対し変位させる場合は、未暗記のカード１２ａを指で摘んで反リング状部材１４の方向へ引っ張る作業を行えばよい。
これにより、図３に示すように上記内方孔部１８に挿通していた上記リング状部材１４は、未暗記のカード１２ａの紙を変形させて上記中間孔部１９の幅を拡開しながら同中間孔部１９を通過して、図１に示すように、上記外方孔部１７へと移動する。
【００２９】
上記外方孔部１７へ上記リング状部材１４が移動することにより、図１に示すように、上記未暗記のカード１２ａは上記暗記済みのカード１２ｂに対し、反リング状部材１４の側の端部２０が突出状態となり、未暗記のカード１２ａと暗記済みのカード１２ｂは明確に区別することができる。
したがって、再度、暗記学習を行う場合は、上記暗記済みのカード１２ｂを飛ばして、上記未暗記のカード１２ａのみを暗記することができる。
これにより、暗記済みのカード１２ｂを再度暗記するという無駄を省くことができ、未暗記のカード１２ａのみを集中的に暗記することができるので、暗記効率を高めることができる。
【産業上の利用可能性】
【００３０】
本考案は、未暗記のカードと暗記済みのカードを分別する暗記カード帳に適用可能である。
【図面の簡単な説明】
【００３１】
【図１】本考案の実施例を示すもので、未暗記のカードを暗記済みのカードに対し変位させた状態を示す斜視図である。
【図２】本考案の実施例に係るカードの平面図である。
【図３】本考案の実施例を示すもので、未暗記のカードを暗記済みのカードに対し変位させる前の状態を示す斜視図である。
【符号の説明】
【００３２】
１１  暗記カード帳
１２  カード
１２ａ  未暗記のカード
１２ｂ  暗記済みのカード
１３  カード保持部材
１４  リング状部材
１５ａ，１５ｂ  金属線材
１６  孔部
１７  外方孔部
１８  内方孔部
１９  中間孔部
２０  端部